(57)【要約】本発明の教示によれば、低減された平面厚さを有する光ディスクが与えられる。本発明の特定の一実施例によれば、当該光ディスクは、光ディスクドライブのスピンドル機構によって係合されるよう作動可能である中央開口を定義する中央クランプ領域、該中央クランプ範囲を実質的に取り囲み、１．２０ｍｍより小さい平面厚さを有する光学的可読データ記憶領域、及び、中央クランプ領域に対して結合されるか、あるいは中央クランプ領域と一体であり、光学的可読データ記憶領域の平面厚さを上回って中央クランプ領域の厚さを増大させるよう構成される１つ又はそれより多いスタッカ要素、を有する。特定の実施例では、光ディスクは更に、光ディスクの表面上へと配置される磁気ストライプを有し得る。
2008544429.tif 000002
【特許請求の範囲】
【請求項１】
光ディスクであって、
・  光ディスクドライブのスピンドル機構によって係合されるよう作動可能である中央開口を定義する、中央クランプ領域と、
・  該中央クランプ範囲を実質的に取り囲み、１．２０ｍｍより小さい平面厚さを有する、光学的可読データ記憶領域と、
・  前記中央クランプ領域に対して結合されるか、あるいは前記中央クランプ領域と一体であり、前記光学的可読データ記憶領域の前記平面厚さを上回って前記中央クランプ領域の厚さを増大させるよう構成される、１つ又はそれより多いスタッカ要素と、
を有する、
光ディスク。
【請求項２】
前記光学的可読データ記憶領域の前記平面厚さは、約０．９５ｍｍより小さいか、約０．９５ｍｍと同等である、
請求項１記載の光ディスク。
【請求項３】
前記光学的可読データ記憶領域の前記平面厚さは、約０．８５ｍｍより小さいか、約０．８５ｍｍと同等である、
請求項１記載の光ディスク。
【請求項４】
前記光学的可読データ記憶領域の前記平面厚さは、約０．５８ｍｍより小さいか、約０．５８ｍｍと同等である、
請求項１記載の光ディスク。
【請求項５】
前記光学的可読データ記憶領域の前記平面厚さは、約０．８０ｍｍ乃至約０．８６ｍｍである、
請求項１記載の光ディスク。
【請求項６】
前記１つ又はそれより多いスタッカ要素は、前記光学的可読データ記憶領域と光学ディスクドライブの読取りレーザとの間の距離を増大させるよう構成される、
請求項１記載の光ディスク。
【請求項７】
前記１つ又はそれより多いスタッカ要素は、前記光学ディスクドライブの前記スピンドル機構によって前記中央開口の係合を容易にするよう構成される、
請求項１記載の光ディスク。
【請求項８】
前記１つ又はそれより多いスタッカ要素は、前記中央開口を実質的に取り囲み、且つ前記クランプ領域の表面を実質的に覆う、スタッカプレートを有する、
請求項１記載の光ディスク。
【請求項９】
前記１つ又はそれより多いスタッカ要素は、前記中央開口から外方向に半径方向に広がる１つ又はそれより多いスタッカバーを有する、
請求項１記載の光ディスク。
【請求項１０】
前記１つ又はそれより多いスタッカ要素は、前記中央開口と同心であるスタッカリングを有する、
請求項１記載の光ディスク。
【請求項１１】
前記光ディスクの表面上へと配置される磁気ストライプを更に有する、
請求項１記載の光ディスク。
【請求項１２】
前記磁気ストライプは、前記光ディスクの光学的可読側部上に配置される、
請求項１１記載の光ディスク。
【請求項１３】
前記磁気ストライプは、前記光ディスクの非光学的可読側部上に配置される、
請求項１１記載の光ディスク。
【請求項１４】
前記光ディスクドライブの読取り速度に影響を及ぼすよう作動可能である前記光学的可読データ記憶領域において埋め込まれるコード、を更に有する、
請求項１記載の光ディスク。
【請求項１５】
前記光ディスクの非光学的可読側に結合され、前記光ディスクの質量を増大させるよう構成される、ラベルを更に有する、
請求項１記載の光ディスク。
【請求項１６】
前記光ディスクの非光学的可読側に結合され、前記光ディスクの前記平面厚さを増大させるよう構成される、ラベルを更に有する、
請求項１記載の光ディスク。
【請求項１７】
前記光ディスクの非光学的可読側に結合され、前記光ディスクの剛性を増大させるよう構成される、弾性金属層を更に有する、
請求項１記載の光ディスク。
【請求項１８】
前記光ディスクは、ポリカーボネートを有し、
該ポリカーボネートの色は、所望される屈折率をもたらすよう選択される、
請求項１記載の光ディスク。
【請求項１９】
前記光ディスクは、ポリカーボネートを有し、
該ポリカーボネートの色は、前記光ディスクの可読性を強化するよう選択される、
請求項１記載の光ディスク。
【請求項２０】
光ディスクであって、
・  光ディスクドライブのスピンドル機構によって係合されるよう作動可能である中央開口を定義する、中央クランプ領域と、
・  該中央クランプ範囲を実質的に取り囲み、１．２０ｍｍより小さい平面厚さを有する、光学的可読データ記憶領域と、
・  前記中央クランプ領域に対して結合されるか、あるいは前記中央クランプ領域と一体であり、前記光学的可読データ記憶領域の前記平面厚さを上回って前記中央クランプ領域の厚さを増大させるよう構成される、１つ又はそれより多いスタッカ要素と、
・  前記光ディスクの表面上へと配置される、磁気ストライプと、
を有する、
光ディスク。
【請求項２１】
前記光学的可読データ記憶領域の前記平面厚さは、約０．９５ｍｍより小さいか、約０．９５ｍｍと同等である、
請求項２０記載の光ディスク。
【請求項２２】
前記光学的可読データ記憶領域の前記平面厚さは、約０．８５ｍｍより小さいか、約０．８５ｍｍと同等である、
請求項２０記載の光ディスク。
【請求項２３】
前記光学的可読データ記憶領域の前記平面厚さは、約０．５８ｍｍより小さいか、約０．５８ｍｍと同等である、
請求項２０記載の光ディスク。
【請求項２４】
前記光学的可読データ記憶領域の前記平面厚さは、約０．８０ｍｍ乃至約０．８６ｍｍである、
請求項２０記載の光ディスク。
【請求項２５】
前記１つ又はそれより多いスタッカ要素は、前記光学的可読データ記憶領域と光学ディスクドライブの読取りレーザとの間の距離を増大させるよう構成される、
請求項２０記載の光ディスク。
【請求項２６】
前記１つ又はそれより多いスタッカ要素は、前記光学ディスクドライブの前記スピンドル機構によって前記中央開口の係合を容易にするよう構成される、
請求項２０記載の光ディスク。
【請求項２７】
前記１つ又はそれより多いスタッカ要素は、前記中央開口を実質的に取り囲み、且つ前記クランプ領域の表面を実質的に覆う、スタッカプレートを有する、
請求項２０記載の光ディスク。
【請求項２８】
前記１つ又はそれより多いスタッカ要素は、前記中央開口から外方向に半径方向に広がる１つ又はそれより多いスタッカバーを有する、
請求項２０記載の光ディスク。
【請求項２９】
前記１つ又はそれより多いスタッカ要素は、前記中央開口と同心であるスタッカリングを有する、
請求項２０記載の光ディスク。
【請求項３０】
前記磁気ストライプは、前記光ディスクの光学的可読側部上に配置される、
請求項２０記載の光ディスク。
【請求項３１】
前記磁気ストライプは、前記光ディスクの非光学的可読側部上に配置される、
請求項２０記載の光ディスク。
【請求項３２】
前記光ディスクドライブの読取り速度に影響を及ぼすよう作動可能である前記光学的可読データ記憶領域において埋め込まれるコード、を更に有する、
請求項２０記載の光ディスク。
【請求項３３】
前記光ディスクの非光学的可読側に結合され、前記光ディスクの質量を増大させるよう構成される、ラベルを更に有する、
請求項２０記載の光ディスク。
【請求項３４】
前記光ディスクの非光学的可読側に結合され、前記光ディスクの前記平面厚さを増大させるよう構成される、ラベルを更に有する、
請求項２０記載の光ディスク。
【請求項３５】
前記光ディスクの非光学的可読側に結合され、前記光ディスクの剛性を増大させるよう構成される、弾性金属層を更に有する、
請求項２０記載の光ディスク。
【請求項３６】
前記光ディスクは、ポリカーボネートを有し、
該ポリカーボネートの色は、所望される屈折率をもたらすよう選択される、
請求項２０記載の光ディスク。
【請求項３７】
前記光ディスクは、ポリカーボネートを有し、
該ポリカーボネートの色は、前記光ディスクの可読性を強化するよう選択される、
請求項２０記載の光ディスク。
【発明の詳細な説明】
【技術分野】
【０００１】
本発明は、一般的には光学的可読媒体に係り、より特には、低減された平面厚さを有する光ディスクに係る。
【背景技術】
【０００２】
コンパクトディスク（「ＣＤ」）及びデジタルビデオディスク（「ＤＶＤ」）等である光ディスクは、コンピュータ可読情報を記憶するよう頻繁に使用される。典型的には、この情報は、ディスクの中央から外方向に螺旋状に広がる「ランド」と「ピット」の単一のトラックの形状において光ディスク上に記憶される。密である集束レーザビーム（ｔｉｇｈｔｌｙ  ｆｏｃｕｓｅｄ  ｌａｓｅｒ  ｂｅａｍ）を使用して、かかるランド及びピットは、光ディスクドライブによって読み取られ得る。ランド及びピットを読み取ることによって、光ディスクドライブは、コンピュータによって読取り可能であるバイナリストリームを生成するようタイミング回路に対して適合される電界を生成し得る。
【０００３】
クレジットカード及びデビットカード等である磁気ストライプカードはまた、コンピュータ可読情報を記憶するよう使用される。典型的には、かかる磁気ストライプカードは、磁気感受性材料を有する磁気ストライプを有するプラスチックカードを有する。続いて従来の磁気技術が使用され、クレジット口座番号等である情報を磁気ストライプに記憶するようにする。続いてカードは、磁気ストライプ上の暗号化された磁気極性を感知する磁気ヘッドを有する読取り機にカードを通す（スワイプする）ことによって読み取られ得、従って磁気ストライプ上の暗号化された情報を導出するようにする。
【０００４】
かかる試みは、光ディスクと磁気ストライプとを単一のデータ記憶装置へ組み合わせることにおいて行われてきている。例えば、Ｂｕｒｎｅｔｔに対して発行された米国特許第６，５９７，６５３号明細書（特許文献１）は、かかる２種類のコンピュータ可読媒体を磁気的及び光学的可読記憶部を有する単一のカードへと組み合わせる、双方向トランザクションカードを開示する。しかしながら、光学的可読記憶部及び磁気的可読記憶部を商業的に実現可能であるトランザクションカードへと組み合わせることは、その結果もたらされるトランザクションカードが、厚さ約０．９６ｍｍより小さいカードのみを通し得る従来の磁気ストライプ読取り機によって読み取られるよう十分に薄い、ことを要求する。このため、従来の磁気ストライプカードは、典型的には約０．８０ｍｍ乃至約０．８６ｍｍである平面厚さを有する。残念ながら、従来の光ディスクは、１．２０ｍｍである平面厚さを有する。かかる光ディスクの平面厚さが１．２０ｍｍを下回って低減される際、光ディスクドライブの中には、光ディスクのクランプ／係合、及び／又は光ディスク内における適切な深さにおけるレーザの集束に関する問題により、光ディスク上に記憶されたデータの読取り時に問題を有し得るものがある。
【特許文献１】米国特許第６，５９７，６５３号明細書
【発明の開示】
【発明が解決しようとする課題】
【０００５】
本発明の教示により、低減された平面厚さを有する光ディスクが与えられる。
【課題を解決するための手段】
【０００６】
本発明の特定の一実施例によれば、光ディスクは、光ディスクドライブのスピンドル機構によって係合されるよう作動可能である中央開口を定義する中央クランプ領域と、中央クランプ範囲を実質的に取り囲み、１．２０ｍｍより小さい平面厚さを有する光学的可読データ記憶領域と、中央クランプ領域に対して結合されるか、あるいは該領域と一体であり、光学的可読データ記憶領域の平面厚さを上回って中央クランプ領域の厚さを増大させるよう構成される１つ又はそれより多いスタッカ要素と、を有する。特定の実施例では、光ディスクは更に、光ディスクの表面上に配置される磁気ストライプを有し得る。
【０００７】
本発明の特定の実施例の技術的利点は、ディスク上に記憶されるデータの可読性において低減を殆ど有さないか、あるいは全く有さない、低減された平面厚さを有する光ディスクを有する。例えば、本発明の教示に従う光ディスクは、典型的には１．２０ｍｍより小さい平面厚さを有し、場合によっては約０．５８ｍｍより小さいかそれと同等である平面厚さを有する。低減された平面厚さがディスクの可読性に悪影響を与えることを避けるよう、本発明の特定の実施例は、中央クランプ領域に対して結合されるか、あるいは該領域と一体である、１つ又はそれより多いスタッカ要素を有する。かかるスタッカ要素は、光学ドライブの読取りレーザに対して光ディスクを位置付けることを助け得、及び／又は、光ディスクドライブのスピンドル機構による光ディスクのクランプ／係合を容易にし得る。
【０００８】
本発明の特定の実施例の更に他の技術的利点は、磁気ストライプを有する光ディスクを有し、ディスクが光学的可読情報及び磁気的可読情報の両方を記憶し得るようにする。光ディスクの低減された厚さにより、本発明の特定の実施例は、光ディスク又は磁気カード読取り機に悪影響を殆ど又は全く与えることなく、従来の「スワイプ」型磁気カード読取り機に通され（「スワイプされ」）得る。
【発明を実施するための最良の形態】
【０００９】
本発明の他の技術的利点は、以下の図面、説明、及び請求項から当業者に容易に理解され得る。更には、具体的な利点が上述されてきた一方で、多種の実施例は、全ての又は複数の列挙された利点を有し得る。
【００１０】
これより、本発明、並びにその特性及び利点に関する更に完全な理解に対して、添付の図面を併せて以下の説明が参照される。
【００１１】
本発明の教示によれば、低減された平面厚さを有する光ディスクが与えられる。本発明の特定の一実施例によれば、光ディスクは、光ディスクドライブのスピンドル機構によって係合されるよう作動可能である中央開口を定義する中央クランプ領域と、中央クランプ範囲を実質的に取り囲み、１．２０ｍｍより小さい平面厚さを有する光学的可読データ記憶領域と、中央クランプ領域に対して結合されるか、あるいは該領域と一体であり、光学的可読記憶領域の平面厚さを上回って中央クランプ領域の厚さを増大させるよう構成される１つ又はそれより多いスタッカ要素と、を有する。特定の実施例では、光ディスクは更に、光ディスクの表面上に配置される磁気ストライプを有し得る。かかる光ディスクの平面厚さを１．２０ｍｍを下回って低減することによって、本発明の特定の実施例は、「スワイプ」型磁気ストライプ読取り機を成功裏に通ることができる。更には、中央クランプ領域上に１つ又はそれより多いスタッカ要素を有することで、従来の光ディスクドライブにおける光ディスクの読取りは、光ディスクの厚さが低減されているにも関わらず、容易になるようよう支援され得る。
【００１２】
図１Ａ−Ｄは、本発明の特定の一実施例に従う光ディスク１００を示す。特には、図１Ａ及び１Ｂは夫々、光ディスク１００の光学的可読側部（ｏｐｔｉｃａｌｌｙ  ｒｅａｄａｂｌｅ  ｓｉｄｅ）１０２の表面図及び斜視図であり、図１Ｃは、光ディスク１００の非光学的可読側部１０４の斜視図であり、図１Ｄは、光ディスク１００の側部断面図である。
【００１３】
図１Ａ−Ｄ中に示される通り、光ディスク１００は一般的に、光ディスクドライブのスピンドル機構によって係合されるよう作動可能である中央開口１０６を定義する、中央クランプ領域１０８を有する。この中央クランプ領域１０８は、光学的可読データ記憶領域１１０によって半径方向に取り囲まれる。光学的可読データ記憶領域１１０は、光ディスクドライブによって読取り可能である光ディスク上のピット及びランドの形状において暗号化された情報を有する。特定の実施例では、データ記憶領域１１０は、光ディスク１００を読み取ろうとする光ディスクドライブの読取り速度を最適化するよう、あるいは該速度に少なくとも影響を与えるよう使用され得る、埋め込まれたデータを有し得る。
【００１４】
一般的には、光ディスク１００は、１．２０ｍｍより小さい平面厚さを有する。本発明の特定の実施例では、光ディスク１００は、約０．９５ｍｍより小さい、あるいはそれと同等である、平面厚さを有する。本発明の特定の実施例では、光ディスク１００は、約０．８５ｍｍより小さい、あるいはそれと同等である、平面厚さを有する。特定の実施例では、光ディスク１００は、約０．５８ｍｍより小さい、あるいはそれと同等である、平面厚さを有し得る。特定の実施例では、光ディスク１００は、約０．８０ｍｍ乃至約０．８６ｍｍである平面厚さを有し得る。
【００１５】
上述された通り、複数の光ディスク読取り機は、光ディスクのクランプ／係合、及び／又は光ディスク内における適切な深さにおけるレーザの集束に関する問題により、１．２０ｍｍより小さい平面厚さを有する光ディスク上に記憶されたデータの読取りに困難を有し得る。この問題を軽減及び／又は克服するよう、光ディスク１００はまた、中央クランプ領域１０８に対して結合されるか、あるいは該領域と一体に形成される、複数のスタッカ要素を有する。本発明の特定の実施例では、スタッカ要素１２２は、光ディスク１００が形成される射出成形工程の一部として形成される。他の実施例では、スタッカ要素１２２は、射出成形後に、光ディスク１００に対して結合され得る。スタッカ要素１２２が形成される方法に関わらず、スタッカ要素１２２は、光学データ記憶領域１１０の厚さを上回ってクランプ領域１０８の厚さを増大させる。特定の実施例では、かかるスタッカ要素１２２は、中央クランプ領域１０８の厚さを増大し得、中央クランプ１０８及びスタッカ要素１２２の総平面厚さは、１．２０ｍｍ（即ち従来の光ディスクの厚さ）又はそれ以上に近付く。本発明の特定の実施例において、この増大された厚さは、光ディスクドライブによる光ディスク１００のクランプ／係合を容易にする支援をする。特定の実施例では増大された厚さはまた、光ディスクドライブの読取りレーザに対する光学データ記憶領域１１０の位置付けを支援し得、読取りレーザが光ディスク上に記憶されたデータを読み取るよう適切な深さにおいて集束されることを確実にする役割を果たす。
【００１６】
図１Ａ−１Ｂ中に見られる通り、光ディスク１００は、中央開口１０８から光学データ記憶領域１１０に向かって外方向に放射状に広がる４つのスタッカ要素１２２を有する。しかしながら、適切な数、形状、及び／又は構造のスタッカ要素１２２が本発明の教示に従って使用され得る、ことは理解されるべきである。したがって、本願において使用される通り、「スタッカ要素」は、スタッカプレート、スタッカリング（ｓｔａｃｋｅｒ  ｒｉｎｇｓ）、スタッカバー、及び／又はスタッカビームを制限無く有する、いかなる適切なスタッカ要素も示す。図３Ａ−５Ｂは更に、本発明の教示に従って使用され得るかかるスタッカ要素の複数の例を示す。
【００１７】
図３Ａ及び３Ｂは、本発明の特定の一実施例に従うスタッカプレート３２２を特徴とする光ディスク３００の光学的可読側部を示す。光ディスク１００と同様に（図１Ａ−Ｄ）、光ディスク３００は、光ディスクドライブのスピンドル機構によって係合されるよう構成される中央開口３０６を定義する中央クランプ領域３０８を有する。半径方向に取り囲む中央クランプ領域３０８は、光ディスクドライブのレーザを読み取ることによって読み取られ得るピット及びランドの形状においてデータを記憶する光学データ記憶領域３１０である。スタッカプレート３２２は、中央クランプ領域３０８に対して結合されるか、あるいは該領域と一体であり、光学的データ記憶領域３１０の平面厚さを上回って中央クランプ領域３０８の厚さを増大させるよう構成される。スタッカプレート３２２は、その幅がその高さより遙かに大きいため、また、中央クランプ領域３０８の大部分を覆うため、「プレート」と称される。本発明の特定の実施例では、スタッカプレート３２２は、中央クランプ領域３２２の実質的に全てを覆い得る。他の実施例では、スタッカプレート３２２は、中央クランプ領域３０８の大部分のみを覆う必要がある。
【００１８】
図４Ａ−Ｂは、本発明の教示に従ってスタッカリング４２２を特徴とする光ディスク４００の光学的可読側部を示す。光ディスク３００と同様に（図３Ａ−Ｂ）、光ディスク４００は、光ディスクドライブのスピンドル機構によって係合されるよう構成される中央開口４０６を定義する中央クランプ領域４０８を有する。光学データ記憶領域４１０は、中央クランプ領域４０８を半径方向に取り囲む。該領域４１０は、光ディスクドライブの読取りレーザによって読み取られ得るピット及びランドの形状においてデータを記憶する。スタッカリング４２２は、中央クランプ領域４０８に対して結合されるか、あるいは該領域と一体であり、光学データ記憶領域４１０の平面厚さを上回って中央クランプ領域４０８の厚さを増大させるよう構成される。スタッカプレート３２２（図３Ａ−Ｂ）とは異なり、スタッカリング４２２は、実質的にリング状の構造を有する。特定の実施例では、スタッカリング４２２は、中央開口４０６と同心であり得る。図４Ａ−Ｂ中には１つのみのスタッカリング４２２が図示されるが、複数のスタッカリング４２２、並びに異なる半径方向厚さを有するスタッカリングが本発明の教示から逸脱せずに使用され得る、ことは当業者によって理解されるべきである。
【００１９】
図５Ａ及び５Ｂは、本発明の特定の一実施例に従う複数のスタッカバー５２２を特徴とする光ディスク５００の光学的可読側部を示す。光ディスク３００及び４００（図３Ａ−４Ｂ）と同様に、光ディスク５００は、光ディスクドライブのスピンドル機構によって係合されるよう構成される中央開口５０６を定義する、中央クランプ領域５０８を有する。光学データ記憶領域５１０は、中央クランプ領域５０８を半径方向に取り囲む。該領域５１０は、光ディスクドライブの読取りレーザによって読み取られ得るピット及びランドの形状においてデータを記憶する。複数のスタッカバー５２２は、中央クランプ領域５０８に対して結合されるか、あるいは該領域と一体であり、光学データ記憶領域５１０の平面厚さを上回って中央クランプ領域５０８の厚さを増大させるよう構成される。図５Ａ及び５Ｂ中に示される通り、光ディスク５００は、３つのかかるスタッカバー５２２を有し、該スタッカバーは、互いから約１２０°に配置される。しかしながら、他の数のスタッカバー５２２が本発明の教示に従って使用され得る、ことは当業者によって理解されるべきである。更に、左右対称又は左右非対象配置を有するスタッカバー５２２の他の配置はまた、本発明の教示に従って使用され得る。
【００２０】
図３Ａ−５Ｂは、本発明の教示に従って使用され得る多種のスタッカ要素の形状及び構造の一部を示す。本願の利点を有し、当業者は、本発明の教示に従う使用に対して適切である他のスタッカ要素の形状及び構造を識別できるべきである。
【００２１】
再度図１Ａ−Ｄを参照すると、光ディスク１００の特定の実施例はまた、光ディスクの少なくとも１つの表面上に配置される磁気ストライプ１１６を有し得る（図１Ｃ）。かかる実施例では、光ディスク１００はまた、磁気的に暗号化された情報を記憶するよう使用され得る。特定の実施例では、この磁気的に暗号化された情報は、クレジット口座情報、デビット口座情報、個人識別情報、及び／又は他の情報を有し得る。光ディスク１００の特定の実施例は、従来の「スワイプ」磁気ストライプ読取り機を通るよう十分に薄いため、光学ディスプレイ１００は、従来のクレジットカード、デビットカード、又は個人識別カードとして機能し得る。光ディスクへの磁気ストライプの組込みに関する追加的な情報は、本願において参照として組み込まれるＢｕｒｎｅｔｔに対して発行される前出の特許文献１において見受けられる。
【００２２】
典型的には、磁気ストライプ１１６は、光ディスク１００の非光学的可読側部１０４上に配置される。これは、磁気ストライプ１１６がディスク１００の光学データ記憶領域１１０において記憶されるデータの可読性に干渉することを、防ぐ役割を果たす。しかしながら、本発明の特定の実施例では、磁気ストライプ１１６は、光ディスク１００の光学的可読側部１０２上に位置決めされ得る。かかる一実施例では、磁気ストライプ１１６は、光学データ記憶領域１１０において記憶されるデータの可読性に干渉しないよう位置付けられなければならない。
【００２３】
磁気ストライプ読取り機によって磁気ストライプ１１６の読取りを容易にするよう、本発明の特定の実施例では、光ディスク１００は、１つ又はそれより多い直線状エッジ部１１４を有し得る。かかる実施例では、磁気ストライプ１１６は典型的に、光ディスク１００に対して平行に、且つ直線状エッジ部１１４に近接して適用される。これにより、磁気ストライプ１１６は、磁気ストライプ読取り機を通る光ディスク１００の直線的動作中に読み取られ得る。
【００２４】
磁気ストライプ読取り機による光ディスク１００の読取りを更に容易にするよう、本発明の特定の実施例は、スタッカ要素１２２が「スワイプ」型磁気ストライプ読取り機を介する光ディスク１００の動作を妨げないよう、スタッカ要素１２２を位置付け得る（図１Ａ−Ｂ）。例えば、スタッカ要素は、図１Ａ及び１Ｂ中に示される通り、光ディスク１００の横方向中心線に向かって、直線状エッジ部１１４から離れて中央クランプ領域１０８上に置かれ得る。
【００２５】
本発明の特定の実施例はまた、光学データ記憶領域１１０の厚さにわたって中央クランプ領域１０８の厚さが急変しないよう、スタッカ要素１２２の表面を平滑にし得る。これは、スタッカ要素１２２が他の表面上でひっかかること（ｂｅｃｏｍｉｎｇ  ｃａｕｇｈｔ）を防ぎ、また、光ディスク１００、又は光ディスク１００と接触するようになり得る対象物の欠損、亀裂、又は損傷を防ぐ役割を果たす。
【００２６】
上述された通り、光ディスク１００は、１つ又はそれより多い直線状エッジ部１１４を有し得る。図１Ａ−Ｃ中に示される通り、光ディスク１００は実際、２つの比較的に平行である直線状エッジ部１１４を有する。光ディスク１００はまた、従来の丸い光ディスクの曲率に合致するよう構成される、２つの湾曲エッジ部１１２を有する。特定の実施例では、湾曲エッジ部１１２の含有は、従来の光ディスクドライブのトレイ内において光ディスク１００をネストさせることを容易にする役割を果たす。２つの直線状エッジ部１１４及び２つの湾曲エッジ部１１２を有して、光ディスク１００は、複合型又は「ホッケーリンク」型を有するものとして説明され得る。しかしながら、光ディスク１００が本発明の教示に従って多種の形状を有し得る、ことは理解されるべきである。
【００２７】
図２Ａ−Ｃ本発明に従って使用され得る他の光ディスク形状の例を示す。図２Ａ−Ｃは各々、本発明の特定の一実施例に従った光ディスク２００を示す。図２Ａ−Ｃ中に示される通り、光ディスク２００は、中央開口２０６、２つの比較的に平行である直線状端部２１４、及び２つの湾曲端部２１２を有する。前述された通り、直線状端部２１４を有することは、従来の「スワイプ」型磁気ストライプ読取り機を通る光ディスク２００のスワイプを容易にする役割を果たす。しかしながら、光ディスク２００の形状の他の態様は、美的品質を含め、多種の設計検討事項によって定められ得る。
【００２８】
図１Ａ−Ｄを再度参照すると、光ディスク１００がクレジットカード、デビットカード、又は個人識別カードとして使用され得るため、光ディスク１００の特定の実施例はまた、光ディスク１００の非光学的可読側部１０４上に他の識別情報を有し得る。例えば、特定の実施例では、光ディスク１００はまた、自分の名前を記入するユーザに対して署名欄１１８を有し得る。これによって、商業側（ｍｅｒｃｈａｎｔｓ）は、光ディスク１００を使用しようとする者の署名を認定ユーザの署名と比較し得る。特定の実施例では、光ディスク１００はまた、光ディスク及び／又はユーザに関する更なる情報を有するバーコード１２０を有し得る。例えば、特定の実施例において、バーコード１２０は、ディスク所有者の名前及び／又は口座番号を示すＵＰＣコード又はバーコードを有し得る。光ディスク１００の側部１０４の残りの部分は、ロゴ又は他のグラフィックを表示するよう使用され得る。署名欄１１８、バーコード１２０、並びに、グラフィック及びロゴ等である識別情報は、光ディスク１００の非光学的可読側部１０４に関して説明されてきたが、当業者は、かかる特性が光学データ記憶領域１１０において記憶されるデータの可読性を阻害しないよう位置付けられる場合に、かかる特性及び他の特性が光ディスク１００の光学的可読側部１０２上に表れ得ることを理解すべきである。
【００２９】
本発明に従った光ディスクの低減された厚さにより、光ディスクの特定の実施例はまた、低減された質量を有する。この低減された質量は、重量感知光ディスクドライブに関する問題を示し得る。具体的には、本発明の特定の実施例において、かかる光ディスクは、かかる重量感知光ディスクドライブが感知するには軽すぎ得る。光ディスクがかかる重量感知光ディスクドライブによって確実に読み取られ得るよう、本発明の特定の実施例はたま、従来の光ディスクの質量に近似するよう光ディスク１００の質量を増大させるよう構成される光ディスク１００の非光学的可読側部１０４上のラベルを有し得る。特定の実施例では、ラベルは、ディスクが光ディスクドライブによって回転される際に質量がより大きな効果を有するディスクのエッジ部の近くにおいて、追加的な質量を有するよう設計される。本発明の他の特定の実施例は、ラベルの形状において追加的な質量を与えるのではなく、光ディスク自体において追加的な重量を組み込み得る。かかる実施例では、追加的な質量はまた、より大きな効果を有するディスクのエッジ部近くに有され得る。
【００３０】
本発明の他の特定の実施例はまた、光ディスクの厚さを増大させるよう構成される光ディスク１００の光学的可読側部１０４に対して結合されるラベルを有し得る。かかる一実施例では、ラベルの厚さは、ディスクの本来の厚さより大きい光ディスクの所望される厚さを達成するよう選択され得る。例えば、０．１０ｍｍの厚さのラベルは、厚さ０．７５ｍｍのラベルを貼られたディスクをもたらすよう、厚さ０．６５ｍｍの光ディスクに対して適用され得る。そのため、光ディスクの厚さを増大させるラベルの使用は、光ディスクの仕上げ厚さにおいてより大きな可撓性をユーザに与え得る。
【００３１】
本発明の特定の実施例はまた、光ディスク１００の非光学的可読側部１０４に対して結合される弾性金属層を有し得る。かかる弾性金属層は、光ディスクの剛性を増大させるよう使用され得る。この追加的な剛性は、光ディスクの耐久性を増大させ、且つその磁気ストライプカードとしての使用を容易にする役割を果たし得る。
【００３２】
一般的には、光ディスク１００の光学的可読側部１０４は、透明又は有色であり得るポリカーボネート又は他の適切な材料を有する。例えば、本発明の特定の実施例では、ポリカーボネート又は他の材料は、黒色又は黄色等である適切な色であり得る。ポリカーボネート又は他の材料が有色である実施例では、材料の色は、所望される屈折率を材料に与えるよう選択され得る。故に、かかる実施例では、材料の色は、光ディスクドライブの読取りレーザが集束される深さを変更するよう、及び／又は、光ディスクのピット及び／又はランドを外れるレーザの反射の角度を変更するよう選択され得る。材料の色を選択することによって材料の屈折率を調整することによって、本発明の特定の実施例は、強化された可読性を与え得る。本願の利点を有して、当業者は、光ディスクの特定の厚さを前提として、適切な屈折率をもたらすよう選択し得るべきである。
【００３３】
本発明の方法及び装置の特定の実施例が添付の図面において示され、且つ上述の詳細な説明において記載されてきたが、本発明は、開示された実施例に制限されることはなく、複数の再配列、修正、及び代替案が添付の請求項によって記載及び定義される本発明の趣旨から逸脱することなく可能である、ことが理解されるべきである。
【図面の簡単な説明】
【００３４】
【図１Ａ】本発明の特定の一実施例に従って低減された平面厚さを有する光ディスクの光学的可読側部の表面図である。
【図１Ｂ】図１Ａ中に示される光ディスクの光学的可読側部の斜視図である。
【図１Ｃ】図１Ａ及び１Ｂ中に示される光ディスクの光学的可読側部の斜視図である。
【図１Ｄ】図１Ａ−Ｃ中に示される光ディスクの側部断面図である。
【図２Ａ】本発明の特定の実施例に従って使用され得る異なる光ディスクの形状の表面図である。
【図２Ｂ】本発明の特定の実施例に従って使用され得る異なる光ディスクの形状の表面図である。
【図２Ｃ】本発明の特定の実施例に従って使用され得る異なる光ディスクの形状の表面図である。
【図３Ａ】本発明の特定の一実施例に従ったスタッカプレートを有する光ディスクを図示する。
【図３Ｂ】本発明の特定の一実施例に従ったスタッカプレートを有する光ディスクを図示する。
【図４Ａ】本発明の特定の一実施例に従ったスタッカリングを有する光ディスクを図示する。
【図４Ｂ】本発明の特定の一実施例に従ったスタッカリングを有する光ディスクを図示する。
【図５Ａ】本発明の特定の一実施例に従った複数のスタッカバーを有する光ディスクを図示する。
【図５Ｂ】本発明の特定の一実施例に従った複数のスタッカバーを有する光ディスクを図示する。
【図１Ａ】
2008544429.tif 000003
【図１Ｂ】
2008544429.tif 000004
【図１Ｃ】
2008544429.tif 000005
【図１Ｄ】
2008544429.tif 000006
【図２Ａ】
2008544429.tif 000007
【図２Ｂ】
2008544429.tif 000008
【図２Ｃ】
2008544429.tif 000009
【図３Ａ】
2008544429.tif 000010
【図３Ｂ】
2008544429.tif 000011
【図４Ａ】
2008544429.tif 000012
【図４Ｂ】
2008544429.tif 000013
【図５Ａ】
2008544429.tif 000014
【図５Ｂ】
2008544429.tif 000015
【手続補正書】
【提出日】平成19年11月1日(2007.11.1)
【手続補正１】
【補正対象書類名】図面
【補正対象項目名】全図
【補正方法】変更
【補正の内容】
【図１Ａ】
2008544429.tif 000016
【図１Ｂ】
2008544429.tif 000017
【図１Ｃ】
2008544429.tif 000018
【図１Ｄ】
2008544429.tif 000019
【図２Ａ】
2008544429.tif 000020
【図２Ｂ】
2008544429.tif 000021
【図２Ｃ】
2008544429.tif 000022
【図３Ａ】
2008544429.tif 000023
【図３Ｂ】
2008544429.tif 000024
【図４Ａ】
2008544429.tif 000025
【図４Ｂ】
2008544429.tif 000026
【図５Ａ】
2008544429.tif 000027
【図５Ｂ】
2008544429.tif 000028